(57)【要約】【課題】ミラーへの熱影響を軽減すると共に、利用者の負担を軽減して、ミラーの曇り止めを行うことが可能なミラーの曇り止め構造を提供する。【解決手段】本発明のミラーの曇り止め構造は、浴室１の壁面１ａに取り付けたミラー２の上方に設けた水膜形成ユニット４と、前記水膜形成ユニット４に水を流入させる流入路３とを備え、前記水膜形成ユニット４は、水を溜める貯留部５３を上部に有し、前記貯留部５３に溜めた貯水Ｗ１を前記ミラー２の上端部表面２ａに流出させる流出部５５を下部に有し、前記流入路３の上流端を、浴室１に設けた吐水装置１１に水を供給するための供給路９に接続し、前記流入路３に通水と止水とを切り替える弁を設けた。【選択図】図１
2013022260.tif 000002
【特許請求の範囲】
【請求項１】
浴室の壁面に取り付けたミラーの上方に設けた水膜形成ユニットと、前記水膜形成ユニットに水を流入させる流入路とを備え、
前記水膜形成ユニットは、水を溜める貯留部を上部に有し、前記貯留部に溜めた貯水を前記ミラーの表面上端部に流出させる流出部を下部に有し、
前記流入路の上流端を、浴室に設けた吐水装置に水を供給するための供給路に接続し、
前記流入路に通水と止水とを切り替える弁を設けたことを特徴とするミラーの曇り止め構造。
【請求項２】
前記流出部が、前記表面上端部に弾性的に接触する可撓部を有し、
前記貯水から受ける水圧が所定の水圧以上の場合に、前記可撓部が、前記表面上端部との間に前記貯水流出用の隙間を形成するように弾性変形することを特徴とする請求項１に記載のミラーの曇り止め構造。
【請求項３】
前記流入路を、前記供給路に設けた湯水を混合するための混合部の下流に接続したことを特徴とする請求項１又は請求項２に記載のミラーの曇り止め構造。
【発明の詳細な説明】
【技術分野】
【０００１】
本発明は、浴室用のミラーの曇り止め構造に関するものである。
【背景技術】
【０００２】
従来から、湿度の高い空間である浴室では、浴室の壁面に取り付けた鏡の表面に結露を生じて、この鏡が曇り、鏡を利用し難くなることがある。そこで、特許文献１等に示すようにヒータの熱を用いて曇りを取り除くものや、特許文献２等に示すように温水及び水を流して曇りを取り除くもの等がある。例えば、特許文献１に示すものでは、防曇鏡の裏面にヒータを取り付け、防曇鏡を裏面側から温めて結露を生じ難くすると共に、結露した場合に、付着した結露水を蒸発させて、曇り止めを行っている。また、特許文献２に示すものでは、水受け器に溜めた温水及び水を鏡に流すことで、鏡の曇りを取り除いている。
【先行技術文献】
【特許文献】
【０００３】
【特許文献１】特開平０７−１１６０４６号公報
【特許文献２】特開２００２−１６５６８４号公報
【発明の概要】
【発明が解決しようとする課題】
【０００４】
しかしながら、特許文献１等のヒータを用いたものでは、ヒータによって鏡を温めるため、熱の付与が不十分な部位を生じて、曇り止め効果に斑を生じることがある。そして、熱の付与が不十分な部位を解消するために、付与する熱を増加させると、熱による鏡への負担が増して、ヒータ用の電気部品を防水するための防水構造や鏡の劣化を早める恐れがある。また、特許文献２に示すものでは、利用者が温水及び水を水受け器に補給する必要があるため、鏡の利用中に水受け器が空になって、曇りを取り除けなくなる恐れがあると共に、温水及び水の補給作業が負担になり易い。
【０００５】
本発明は前記事情に鑑みて発明したものであって、ミラーへの熱影響を軽減すると共に、利用者の負担を軽減して、ミラーの曇り止めを行うことが可能なミラーの曇り止め構造を提供することを課題とする。
【課題を解決するための手段】
【０００６】
前記課題を解決するために本発明のミラーの曇り止め構造は、浴室の壁面に取り付けたミラーの上方に設けた水膜形成ユニットと、前記水膜形成ユニットに水を流入させる流入路とを備え、前記水膜形成ユニットは、水を溜める貯留部を上部に有し、前記貯留部に溜めた貯水を前記ミラーの表面上端部に流出させる流出部を下部に有し、前記流入路の上流端を、浴室に設けた吐水装置に水を供給するための供給路に接続し、前記流入路に通水と止水とを切り替える弁を設けたことを特徴とする。
【０００７】
このミラーの曇り止め構造として、前記流出部が、前記表面上端部に弾性的に接触する可撓部を有し、前記貯水から受ける水圧が所定の水圧以上の場合に、前記可撓部が、前記表面上端部との間に前記貯水流出用の隙間を形成するように弾性変形することが好ましい。
【０００８】
このミラーの曇り止め構造として、前記流入路を、前記供給路に設けた湯水を混合するための混合部の下流に接続したことが好ましい。
【発明の効果】
【０００９】
本発明は、ミラーへの熱影響（熱によるストレス）を軽減し易くすると共に、利用者の負担を軽減し易くして、ミラーの曇り止めが可能なミラーの曇り止め構造を提供することができる。
【図面の簡単な説明】
【００１０】
【図１】ミラーの曇り止め構造の正面図である。
【図２】同上の側面断面図である。
【図３】貯水タンクの流出部近傍の側面断面図である。
【図４】ミラーの曇り止め構造の変形例の正面図である。
【図５】水膜形成ユニットの変形例の側面断面図である。
【発明を実施するための形態】
【００１１】
本発明を添付図面に示す実施形態に基づいて説明する。なお、以下の説明において水とは、冷水、温水（湯）、冷水と温水を混合した水を含むものである。
【００１２】
ミラーの曇り止め構造は、図１に示すように、クリアシャワーユニット５と、流入路３とを備え、浴室１に設けられる。浴室１にはミラーの曇り止め構造に加えて、ミラー２と、吐出装置と、供給路９とが設けてあり、ミラー２は浴室１の壁面１ａに取り付けられる。以下、壁面１ａに正対する方向Ｘを前後方向とし、前後方向における左右を、単に左右として定める。そして、左右の寸法を単に幅とし、方向Ｘに沿った寸法を厚さとする。
【００１３】
吐水装置１１は、例えば、ミラー２の下部に配置されたカラン１１ａと、ミラー２の側方（正面視左側）に配置されたハンドシャワー１１ｂとを有し、供給路９から水が供給される。
【００１４】
供給路９は、給水配管９１及び給湯配管９２と、湯水混合装置９３とで主体が構成される。給水配管９１は、浴室１の床面１ｂの下方に配設されており、上流が水道管（図示せず）に接続され、下流が湯水混合装置９３に接続される。給水配管９１は、浴室１の床面１ｂの下方に配設されており、上流が給湯器（図示せず）に接続され、下流が湯水混合装置９３に接続される。
【００１５】
湯水混合装置９３は、混合部（図示せず）と、混合水流路（図示せず）と、切替部（図示せず）とを内部に備え、混合率操作部９４と切替操作部９５とを外観に露出して備える。混合部は給水配管９１及び給湯配管９２が接続されており、給水配管９１からの冷水と給湯配管９２からの温水（湯）とを混合し、混合水流路に流入する。そして、混合部は、混合率操作部９４が操作されることで、前記湯と前記水との混合比率を変更する。混合水流路は下流端が切替部に接続されており、切替部は、切替操作部９５が操作されることで、ハンドシャワー１１ｂへの水の供給、カラン１１ａへの水の供給、両者への水の供給の停止を切り替える。
【００１６】
流入路３は、例えば、上流横管部（図示せず）と、縦管部３ａと、下流横管部３ｂと主体で形成される。上流横管部は前後に長尺で、壁面１ａを貫通して配置され、上流端が混合水流路に接続されており、混合部で混合された水が流入される。そして、上流横管部の下流端は、壁面１ａの後方側（浴室１の外側）に突出して、縦管部３ａの上流端に接続される。縦管部３ａは上下方向に長尺で、壁面１ａによって隠蔽されて浴室１内に露出しない構成となっている。そして、縦管部３ａの下流端は、ミラー２の上端を保持する上フレーム２２と略同じ高さ位置に位置して、下流横管部３ｂの上流端に接続される。下流横管部３ｂは前後に長尺で、壁面１ａを貫通して配置される。そして、下流横管部３ｂの下流端は上フレーム２２内に位置して、クリアシャワーユニット５に接続されており、混合部からの水をクリアシャワーユニット５に流入する。
【００１７】
また、流入路３には開閉弁（図示せず）が設けられており、開閉弁は流入路３の開成と閉成とを切り替える。そして、開閉弁は、開閉操作部３１が操作されることで、前記切替動作を行う。この開閉操作部３１は、ミラー２の下端を保持する下フレーム２１に露出して設けてあり、カラン１１ａ及び湯水混合装置９３の略真上に位置する。
【００１８】
クリアシャワーユニット５は上フレーム２２に内蔵されて、ミラー２の上方に配置される。そして、クリアシャワーユニット５は、接続流路５１と、貯水用タンク５２とを備える。接続流路５１は、上流が流入路３に接続され、下流が貯水用タンク５２に続され、流入路３から流入された水を、貯水用タンク５２に流通させる。
【００１９】
貯水用タンク５２は、ケーシング５２ａで主体が構成される。ケーシング５２ａはミラー２の幅と略同寸の幅を有した箱状となっており、上方に接続流路５１が配置され、下方に開口を有する。そして、ケーシング５２ａは内部が、貯留部５３と、連通路５４と、流出部５５とに区画される。
【００２０】
貯留部５３は上部が接続流路５１に接続されており、接続流路５１から水が流入される。そして、貯留部５３は下部が連通路５４の上流端に連通している。連通路５４は貯留部５３に比べて前後の厚さが狭い流路となっており、後方に下り傾斜して形成される。そして、連通路５４は下流端が流出部５５に連通している。
【００２１】
流出部５５は、水膜弁６を備える。水膜弁６はミラー２の幅と略同寸の板状で、連通路５４の下方に配置されると共に、ケーシング５２ａの下方の開口を覆う。そして、水膜弁６は板面を後方に下り傾斜して配置されると共に、上端がケーシング５２ａに取り付けられる。そのため、水膜弁６は、下端６ａとミラー２の上端部表面２ａとの前後の間に流出孔５５ａを形成すると共に、連通路５４と流出孔５５ａの間に搬送部を形成する。搬送部は、図３に示す矢印のごとく、連通路５４からの貯水Ｗ１（水）を流出孔５５ａに搬送する。
【００２２】
更に、水膜弁６は可撓部６１を下端６ａ備える。可撓部６１は、水膜弁６の下端６ａから下方に延長して設けられ、可撓部６１の下端はミラー２の幅の略全体に亘ってミラー２の上端部表面２ａに接触して、流出孔５５ａを閉塞している。そして、可撓部６１は、水膜弁６における可撓部６１より上方に位置する搬送部を形成する板状の部位に比べて、板厚が薄く、可撓性を有している。そのため、可撓部６１は上端部表面２ａに弾性的に接触して、ミラー２（上端部表面２ａ）との間に水密構造を形成する。そして、可撓部６１はケーシング５２ａ及び上フレーム２２より下方に突出して設けてある。そのため、可撓部６１は左右の端部に水漏れ防止片（図示せず）を有しており、水漏れ防止片によって側方からの貯水Ｗ１の漏れを防止している。
【００２３】
また、水膜弁６は幅の略全体に亘って貯水用タンク５２内の貯水Ｗ１の圧力（水圧）を受けている。そして、水膜弁６は、貯水用タンク５２内の水量（水圧）が所定値に達することで、可撓部６１が前方側に弾性変形して、上端部表面２ａとの前後方向における間に流出隙間Ｓ（貯水流出用の隙間）が形成されて、流出孔５５ａが開成状態となる。この流出隙間Ｓは可撓部６１（水膜弁６）の幅の略全体に亘って略スリット状に形成され、貯水用タンク５２内の貯水Ｗ１が流出隙間Ｓから流下することで、ミラー２の表面に水膜Ｗ２が形成される。
【００２４】
すなわち、クリアシャワーユニット５は、ミラー２の表面に水膜Ｗ２を形成する水膜形成ユニット４となっている。そして、開閉弁は流入路３の開閉の切替によって、水膜形成ユニット４の流出部５５からの貯水Ｗ１の流下と停止（通水と止水）を切り替えており、開閉操作部３１は、ミラーの曇り止め構造の通水（利用）と止水（利用の停止）とを切り替える操作部となっている。
【００２５】
このように、ミラー２の表面に水膜Ｗ２を形成する水膜形成ユニット４をミラー２の上部に設けたことで、水膜形成ユニット４で形成した水膜Ｗ２によって、ミラー２の曇り止めを行うことができる。そのため、ヒータを用いたものに比べて熱等によるミラー２の負担（ストレス）を軽減し易くなる。そして、水膜を形成して曇り止めを行うため、単に水を流下させて曇り止めを行うものに比べて、水量を抑えて節水を行い易くなると共に、流下させた水のよる虚像の歪み等の鏡の映り具合への影響を生じ難くすることができる。
【００２６】
また、水膜形成ユニット４に水を供給する流入路３を設けたことで、利用者は貯水用タンク５２への水の補給作業を行わずに済み、利用者の負担を軽減し易くなる。そして、流入路３の上流端を、吐水装置１１に水を供給するための供給路９に接続したことで、吐水装置１１を介さずに水膜形成ユニット４に水を供給することができる。そのため、吐水装置１１の止水に伴い水膜形成ユニット４が停止することが無く、吐水装置１１の動作に依らずに水膜形成ユニット４を利用することができる。
【００２７】
更に、混合部と切替部の間に流入路３を接続したことで、混合部で混合した水を水膜形成ユニット４に供給することができ、流下させる貯水Ｗ１の温度（水温）を調整して水膜Ｗ２を形成することができる。そのため、水膜Ｗ２や水膜Ｗ２からの飛散水や下フレーム２１から落下水等が高温状態で利用者に接触することを抑制し易くすることができると共に、熱等によるミラー２へのストレスをより軽減し易くすることができる。そして、水温を調整することができるため、冷水に比べて結露が生じ難い温水（湯）を用いて水膜Ｗ２を形成することができ、曇り止めを効果的に行い易くなる。
【００２８】
また、流出部５５が、水圧で弾性変形して貯水Ｗ１流出用の隙間（流出隙間Ｓ）を形成する可撓部６１を有したことで、水膜形成ユニット４に流出孔５５ａ開閉用のセンサや制御部等の制御用電子部品やこの電子部品用の防水構造を設けずに済む。そのため、水膜形成ユニット４を簡素な（コンパクトな）構成にし易くなると共に、製造コストを安価に抑え易くなる。
【００２９】
そして、水膜形成ユニット４を上フレーム２２に内蔵したことで、水膜形成ユニット４をミラー２の一構成部材であるかのように目立ち難くすることができ、浴室１における意匠性を向上させ易くなる。更に、流入路３を壁面１ａ後方側に設けたことで、流入路３の縦管部３ｂを浴室１の利用者に対して隠蔽することができ、浴室１における意匠性をより向上させ易くなる。
【００３０】
なお、水膜弁６は、板厚によって可搬性を持たせたものに限らず、可撓部６１を可搬性を有した軟質樹脂で形成し、他の部位を硬質樹脂で形成したもの等であってもよく、前記所定値の水圧で可撓部６１のみが流出隙間Ｓを形成するものであればよい。そして、本例においては、流出隙間Ｓ（水膜Ｗ２）の前後の厚さは、０．２ｍｍ〜１．０ｍｍ程度となっているが、ミラー２の表面に薄い水膜Ｗ２を形成可能であれば、例示の数値に限定されない。もちろん、流入路３は壁面１ａ後方に配置したものに限らず、浴室１に設けた上下方向に長尺の手摺に内蔵して隠蔽した構成や、流入路３の外殻が手摺を兼ねた構成であってもよい。
【００３１】
また、流入路３は混合水流路に接続されたものに限らず、給湯配管９２や給水配管９１に接続されたものであってもよく、例えば、図４に示す構成であってもよい。なお、水膜形成ユニット４の構成は、図３に示したクリアシャワーユニット５の構成と略同様であり、説明は省略する。
【００３２】
このものでは、流入路３が、縦管部３ａと、下流横管部３ｂとで主体が構成される。そして、流入路３は、給湯配管９２に設けた分岐部９２ａに、縦管部３ａの上流端が接続されており、給湯配管９２内の水（湯）が流入する。そして、縦管部３ａ及び下流横管部３ｂは壁面１ａ後方に位置しており、流入路３は浴室１内に露出せずに水膜形成ユニット４に接続されて、給湯配管９２から供給された水を水膜形成ユニット４に流入させる。なお、開閉操作部３１は上フレーム２２の側端部に露出して設けてある。
【００３３】
このような構造としたことで、冷水に比べて結露を生じ難い温水で水膜Ｗ２を形成することができ、効果的に曇り止めを行うことができる。そして、湯水混合装置９３より上流に接続したことで、吐水装置１１の使用に伴う水量の低下の影響を受け難くすることができると共に、吐水装置１１停止時のウォータハンマ等の衝撃を開閉弁等に伝わり難くすることができる。更に、開閉操作部３１を上フレーム２２に設けたことで、ミラー２の下方に位置するカラン１１ａや湯水混合装置９３の各操作部の操作時に、誤って開閉操作部３１を操作する恐れを軽減し易くなると共に、幼児のいたずら等による操作を抑制し易くなる。
【００３４】
なお、開閉操作部３１は壁面１ａに露出して設けてもよい。そして、流入路３は給水配管９１に接続してもよい。更に、浴室１に浴槽を設けたものでは、浴槽水張用の吐水装置１１に水を供給するための供給路９に、流入路３を接続してもよい。
【００３５】
また、クリアシャワーユニット５（水膜形成ユニット４）は、図５に示す構成であってもよい。なお、クリアシャワーユニット５及び流入路３において、図１又は図４に示す構成と略同様の構成の説明は省略し、以下、差異点を説明する。
【００３６】
このものでは、貯水用タンク５２が上フレーム２２の上部に配置されており、浴室１内に露出している。そして、貯留部５３は側面上方に接続流路５１の下流端が開口しており、流入路３からの水が接続流路５１を介して側方から供給される。
【００３７】
更に、ケーシング５２ａは上方に開口した開口部５２ｂを上端に有すると共に、開口部５２ｂの下方が貯留部５３に連通しており、外部（浴室１内）から開口部５２ｂを介して貯留部５３に水を供給可能となっている。
【００３８】
また、連通路５４には止水部７が設けてあり、止水部７は、止水片７１と、移動用凹部７２と、移動操作部（図示せず）とを備える。止水片７１は板状で、略水平に板面を向けて連通路５４内に配置される。移動用凹部７２は、水平方向に沿って形成されたスリット形状で、連通路５４と交差して設けられる。そして、移動用凹部７２は、連通路５４より前方に位置し後端が連通路５４に開口した前凹部７２ａと、連通路５４より後方に位置し前端が連通路５４に開口した後凹部７２ｂとに区画される。
【００３９】
また、移動用凹部７２には、止水片７１が水平方向に沿った前後にスライド移動自在（摺動自在）に配置されており、止水片７１は移動用凹部７２内をスライド移動することで、前方位置と後方位置に切り替わる。止水片７１は、後方位置で後端が後凹部７２ｂ内に位置して、連通路５４を閉塞し、貯留部５３から流出部５５への貯水Ｗ１の流通を止める。そして、前方位置では前凹部７２ａ内に収納され、後端が連通路５４内に突出せず、連通路５４を解放して、貯水Ｗ１を流出部５５へ流通可能にする。更に、止水片７１の前記位置の切替（スライド移動）は、移動操作部を操作することで行われる。
【００４０】
このように、貯水用タンク５２を浴室１に露出して設けたことで、上フレーム２２に内蔵したものに比べて、貯留部５３の容量を大きくし易くすることができる。そのため、カラン１１ａの使用等に伴う流入路３の給水量の低下等の影響を受け難くなり、水膜Ｗ２を長時間安定して形成し易くなる。そして、貯留部５３に連通した開口部５２ｂを貯水用タンク５２の上部に設けたことで、流入路３以外からも水を供給することができる。そのため、ハンドシャワー１１ｂのホース内の残水等を貯留部５３に供給して排水を抑えたり、流入路３からの供給量が不足した場合に、水を補充したりすることができる。更に、止水部７を設けたことで、流入路３以外から水を供給する際に、連通路５４を閉塞して供給中の水膜Ｗ２形成を抑えることができ、外部から水を貯留部５３に溜め易くすることができる。
【００４１】
なお、開口部５２ｂを設けたものにおいて、開口部５２ｂや貯留部５３にヘアキャッチャー等のフィルターを設けることが好ましい。このものでは、外部からの供給時において、供給された水に混入した髪等のゴミを前記フィルターで捕え、ゴミの連通路５４への流入を抑制することができる。
【００４２】
以上、本発明は前述の各実施形態の構成のみに限定されるものではなく、本発明の意図する範囲内であれば、適宜の設計変更が可能である。
【符号の説明】
【００４３】
１  浴室
１ａ  壁面
１１  吐水装置
２  ミラー
２ａ  上端部表面
３  流入路
４  水膜形成ユニット
５３  貯留部
５５  流出部
９  供給路
Ｗ１  貯水
Ｗ２  水膜
Ｓ  流出隙間（貯水流出用の隙間）
【図１】
2013022260.tif 000003
【図２】
2013022260.tif 000004
【図３】
2013022260.tif 000005
【図４】
2013022260.tif 000006
【図５】
2013022260.tif 000007